(57)【要約】【課題】  キャリブレーションデータを用いて画像形成装置の出力濃度を調整する場合に、ユーザの利便性を向上する。【解決手段】  プリンタ１０の出力濃度と所定の標準濃度との対応関係を、プリンタ１０の状態に応じて定めたキャリブレーションデータに基づいて、プリンタ１０の出力濃度を調整する出力濃度調整システムであって、プリントコントローラ２０が前記キャリブレーションデータが所定の条件を満たすか否かを判定し、前記キャリブレーションデータが所定の条件を満たすと判定した場合に、所定の警告情報を出力する出力濃度調整システムである。【選択図】        図１
2007006208.tif 000002
【特許請求の範囲】
【請求項１】
画像形成装置の出力濃度と所定の標準濃度との対応関係を規定するキャリブレーションデータに基づいて、前記画像形成装置の出力濃度を調整する出力濃度調整システムであって、
前記キャリブレーションデータが所定の条件を満たすか否かを判定するキャリブレーションデータ判定手段と、
前記キャリブレーションデータ判定手段により前記キャリブレーションデータが所定の条件を満たすと判定した場合に、所定の警告情報を出力する警告出力手段と、
を含むことを特徴とする出力濃度調整システム。
【請求項２】
請求項１に記載の出力濃度調整システムにおいて、
前記キャリブレーションデータ判定手段は、出力濃度の上限値が所定の範囲内に含まれているか否かを判定することを特徴とする出力濃度調整システム。
【請求項３】
請求項１に記載の出力濃度調整システムにおいて、
前記キャリブレーションデータ判定手段は、対応する出力濃度が所定の範囲内にあるような標準濃度の占める割合が、キャリブレーションデータ全体に対して所定の割合以上であるか否かを判定することを特徴とする出力濃度調整システム。
【請求項４】
請求項１に記載の出力濃度調整システムにおいて、
前記キャリブレーションデータ判定手段は、標準濃度の所定の変化量に対する出力濃度の変化量が、所定の範囲に含まれるか否かを判定することを特徴とする出力濃度調整システム。
【請求項５】
請求項１乃至４のいずれか一項に記載の出力濃度調整システムにおいて、
前記警告出力手段は、ユーザが画像形成を実行する指示を行った場合に、前記警告情報を出力することを特徴とする出力濃度調整システム。
【請求項６】
請求項１乃至５のいずれか一項に記載の出力濃度調整システムにおいて、
前記警告出力手段は、前記画像形成装置が形成する画像に前記警告情報を付加して前記画像形成装置に画像を形成させることを特徴とする出力濃度調整システム。
【請求項７】
請求項１乃至６のいずれか一項に記載の出力濃度調整システムにおいて、
前記キャリブレーションデータ判定手段が用いる所定の条件をユーザの指示に基づいて決定する判定条件決定手段をさらに含むことを特徴とする出力濃度調整システム。
【請求項８】
画像形成装置の出力濃度と所定の標準濃度との対応関係を規定するキャリブレーションデータに基づいて、前記画像形成装置の出力濃度を調整する出力濃度調整システムの制御方法であって、
前記キャリブレーションデータが所定の条件を満たすか否かを判定するキャリブレーションデータ判定ステップと、
前記キャリブレーションデータ判定ステップにより前記キャリブレーションデータが所定の条件を満たすと判定した場合に、所定の警告情報を出力する警告出力ステップと、
を含むことを特徴とする出力濃度調整システムの制御方法。
【請求項９】
画像形成装置の出力濃度と所定の標準濃度との対応関係を規定するキャリブレーションデータに基づいて、前記画像形成装置の出力濃度を調整する出力濃度調整システムに、
前記キャリブレーションデータが所定の条件を満たすか否かを判定するキャリブレーションデータ判定ステップと、
前記キャリブレーションデータ判定ステップにより前記キャリブレーションデータが所定の条件を満たすと判定した場合に、所定の警告情報を出力する警告出力ステップと、
を実行させることを特徴とする出力濃度調整システムの制御プログラム。
【発明の詳細な説明】
【技術分野】
【０００１】
本発明は、キャリブレーションデータを用いて画像形成装置の出力濃度を調整する出力濃度調整システム、出力濃度調整システムの制御方法及び出力濃度調整システムの制御プログラムに関する。
【背景技術】
【０００２】
画像データに基づいて画像を形成する画像形成装置（複写機、プリンタ等）は、画像形成装置の標準状態において作成した色変換プロファイルにより、画像データの入力値を画像形成装置の標準濃度に変換した上で、当該標準濃度に基づいてインク量やトナー量などを調整してから、画像を形成する。しかしながら、画像形成装置は常に標準状態にあるものではなく、画像形成装置が出力する色の濃度は、一般に経時変化等により変動する。そこで、画像形成装置の状態に応じて標準濃度と実際に出力する出力濃度とを対応づけるキャリブレーションデータを生成し、このキャリブレーションデータにより調整した出力濃度により画像形成装置に出力処理を実行させる出力濃度調整システムが通常用いられる。
【０００３】
出力濃度調整システムがキャリブレーションデータを生成する際、画像形成装置の状態によって、予め定められた調整の限界を超えた調整を行う必要がある場合には、正しくキャリブレーションデータを生成できない。このような場合、正常なキャリブレーションデータを生成できないことを警告する技術がある（例えば、特許文献１及び特許文献２参照）。
【特許文献１】特開平８‐１０２８６７号公報
【特許文献２】特開平１０‐１２３８８６号公報
【発明の開示】
【発明が解決しようとする課題】
【０００４】
上記従来例の技術によれば、予め定められた調整の限界の範囲内であれば、キャリブレーションデータの内容について警告がなされることはない。しかしながら、キャリブレーションデータの内容が画像形成装置の調整の限界の範囲内であったとしても、キャリブレーションデータの内容によっては、画像形成装置により形成された画像は、濃度が薄くなったり、網点が生じたりして、ユーザの意図したものにならない場合がある。このような場合、ユーザはキャリブレーションデータの中身を詳細に確認しない限り、形成された画像が意図した通りにならない原因がキャリブレーションデータにあるのか、それとも元の画像データなど他の要因にあるのかが判断できず、利便性が低い。
【０００５】
本発明は、上記実情に鑑みてなされたものであって、その目的の一つは、キャリブレーションデータを用いて画像形成装置の出力濃度を調整する場合に、ユーザの利便性を向上する出力濃度調整システム、出力濃度調整システムの制御方法及び出力濃度調整システムの制御プログラムを提供することにある。
【課題を解決するための手段】
【０００６】
上記課題を解決するための本発明に係る出力濃度調整システムは、画像形成装置の出力濃度と所定の標準濃度との対応関係を規定するキャリブレーションデータに基づいて、前記画像形成装置の出力濃度を調整する出力濃度調整システムであって、前記キャリブレーションデータが所定の条件を満たすか否かを判定するキャリブレーションデータ判定手段と、前記キャリブレーションデータ判定手段により前記キャリブレーションデータが所定の条件を満たすと判定した場合に、所定の警告情報を出力する警告出力手段と、を含むことを特徴とする。
【０００７】
ここで、前記キャリブレーションデータ判定手段は、出力濃度の上限値が所定の範囲内に含まれているか否かを判定することとしてもよい。
【０００８】
また、前記キャリブレーションデータ判定手段は、対応する出力濃度が所定の範囲内にあるような標準濃度の占める割合が、キャリブレーションデータ全体に対して所定の割合以上であるか否かを判定することとしてもよい。
【０００９】
また、前記キャリブレーションデータ判定手段は、標準濃度の所定の変化量に対する出力濃度の変化量が、所定の範囲に含まれるか否かを判定することとしてもよい。
【００１０】
また、前記警告出力手段は、ユーザが画像形成を実行する指示を行った場合に、前記警告情報を出力することとしてもよい。
【００１１】
また、前記警告出力手段は、前記画像形成装置が形成する画像に前記警告情報を付加して前記画像形成装置に画像を形成させることとしてもよい。
【００１２】
さらに、本発明に係る出力濃度調整システムは、前記キャリブレーションデータ判定手段が用いる所定の条件をユーザの指示に基づいて決定する判定条件決定手段をさらに含むこととしてもよい。
【００１３】
また、本発明に係る出力濃度調整システムの制御方法は、画像形成装置の出力濃度と所定の標準濃度との対応関係を規定するキャリブレーションデータに基づいて、前記画像形成装置の出力濃度を調整する出力濃度調整システムの制御方法であって、前記キャリブレーションデータが所定の条件を満たすか否かを判定するキャリブレーションデータ判定ステップと、前記キャリブレーションデータ判定ステップにより前記キャリブレーションデータが所定の条件を満たすと判定した場合に、所定の警告情報を出力する警告出力ステップと、を含むことを特徴とする。
【００１４】
また、本発明に係る出力濃度調整システムの制御プログラムは、画像形成装置の出力濃度と所定の標準濃度との対応関係を規定するキャリブレーションデータに基づいて、前記画像形成装置の出力濃度を調整する出力濃度調整システムに、前記キャリブレーションデータが所定の条件を満たすか否かを判定するキャリブレーションデータ判定ステップと、前記キャリブレーションデータ判定ステップにより前記キャリブレーションデータが所定の条件を満たすと判定した場合に、所定の警告情報を出力する警告出力ステップと、を実行させることを特徴とする。
【発明の効果】
【００１５】
本発明によれば、キャリブレーションデータを用いて画像形成装置の出力濃度を調整する出力濃度調整システムにおいて、キャリブレーションデータが所定の条件を満たさない場合に警告情報を出力することで、ユーザにキャリブレーションデータの問題で形成される画像に問題が生じうることを知らせることができ、ユーザの利便性を向上できる。
【発明を実施するための最良の形態】
【００１６】
以下、本発明の好適な実施の形態について、図面を参照しながら説明する。
【００１７】
本発明の実施の形態に係る出力濃度調整システムは、図１に示すように、プリンタ１０、プリントコントローラ２０、クライアント端末３０及びプリントコントローラ２０とクライアント端末３０の間でデータ伝送を可能とするローカルエリアネットワーク等の通信ネットワーク４０を含んで構成されている。また、プリンタ１０とプリントコントローラ２０は、データ通信が可能なケーブルにより接続されている。
【００１８】
プリンタ１０は、ここではシアン（Ｃ）、マゼンタ（Ｍ）、イエロー（Ｙ）、ブラック（Ｋ）の４色のトナーを用いて紙などの媒体に対して画像の形成を行う装置であり、本発明の画像形成装置に相当する。なお、画像形成装置は、プリントコントローラ２０に対して複数接続されていてもよい。また、本発明の実施の形態における画像形成装置は、複写機等、インクやトナー等により媒体上に形成される色の濃度を調整できる装置であればどのようなものでもよい。
【００１９】
プリントコントローラ２０は、プリントサーバなどであって、通信ネットワーク４０等を介してクライアント端末３０等から印刷の要求をされた画像データを蓄積するとともに、所定の条件に基づく優先順位などに従って印刷要求された画像データをプリンタ１０等の画像形成装置に送り、印刷させる。特に本実施の形態においては、プリントコントローラ２０は、出力に用いる画像形成装置であるプリンタ１０に応じて、画像データの色成分値をプリンタ１０の標準濃度に変換する色変換プロファイルと、キャリブレーションを行った時点のプリンタ１０の状態に応じて、標準濃度と実際の出力濃度とを対応づけるキャリブレーションデータを保持する。そして、プリントコントローラ２０は、クライアント端末３０等から受け取った画像データに含まれる各色の色成分値を、色変換プロファイル及びキャリブレーションデータに基づいてプリンタ１０における各色の出力濃度に変換した上で、プリンタ１０に対して出力する。本実施の形態においてプリントコントローラ２０が実行する処理については、後に詳しく述べる。
【００２０】
クライアント端末３０は、例えばパーソナルコンピュータ等であって、ユーザの操作に基づいてプリントコントローラ２０に対して画像の印刷指示を行う。なお、クライアント端末も、通信ネットワーク４０に複数接続されていてもよい。
【００２１】
以下では、本実施の形態において、クライアント端末３０からの指示により、プリントコントローラ２０がプリンタ１０に画像データの印刷を実行させる場合の処理の流れについて、図２のフロー図に基づいて説明する。
【００２２】
まず、ユーザがクライアント端末３０において画像データの印刷の指示を行うと、クライアント端末３０は通信ネットワーク４０を介して印刷を指示するプリントジョブをプリントコントローラ２０に送信する（Ｓ１）。
【００２３】
プリントジョブを受信したプリントコントローラ２０は、当該プリントジョブの印刷に用いる画像形成装置であるプリンタ１０のキャリブレーションデータに、印刷結果に影響を与えるようなデータが含まれていないかを、所定の警告条件に基づいて判定する（Ｓ２）。なお、プリントコントローラ２０が判定に用いる警告条件については、後に説明する。
【００２４】
キャリブレーションデータが所定の警告条件を満たさないと判断した場合、プリントコントローラ２０はＳ５の処理に進み、印刷処理を続行する。一方、キャリブレーションデータが所定の警告条件を満たす場合、プリントコントローラ２０はキャリブレーションデータに問題がある旨をユーザに提示するため、警告情報を出力する（Ｓ３）。警告情報は、通信ネットワーク４０を介してクライアント端末３０に送信され、クライアント端末３０の画面上に表示される。また、警告情報は、クライアント端末３０において例えば音声などにより出力されることとしてもよい。
【００２５】
警告情報を出力した場合、プリントコントローラ２０は自動的にＳ５の処理に進み、印刷処理を続行することとしてもよいが、ここでは、警告情報に対してユーザに印刷処理を続行するか否かの指示を促すこととする（Ｓ４）。この場合、ユーザは、例えば試し刷りであって出力濃度に多少の問題があっても構わない場合などは、印刷処理を継続する指示をクライアント端末３０に対して行う。一方、微妙な色合いを再現する必要がある画像であるなど印刷を止めたい場合は、印刷処理を中止する指示をクライアント端末３０に対して行う。これらのユーザの指示内容は、通信ネットワーク４０を介してプリントコントローラ２０に送信される。ユーザにより印刷処理を中止する指示がなされた場合、プリントコントローラ２０は印刷処理を終了する。一方、印刷処理を続行する指示がなされた場合、プリントコントローラ２０は、続くＳ５の処理を実行する。
【００２６】
また、通信ネットワーク４０の構成などにより、Ｓ３の処理においてユーザが印刷を指示したクライアント端末３０に対して警告情報を出力できない場合、また警告情報を出力した後所定の時間内にユーザから印刷中止又は続行の指示がなかった場合、出力する画像データに警告情報の内容を付加した上で、Ｓ５の処理に進んで印刷処理を続行することとしてもよい。これにより、最終的にプリンタ１０により画像が形成される媒体の余白領域などに、画像の印刷とともに警告情報が印字されることとなり、ユーザが警告情報をクライアント端末３０において確認できない場合でも、印刷結果とともに警告情報の内容を知ることができる。
【００２７】
印刷を続行する場合、プリントコントローラ２０は、印刷に用いるプリンタ１０に対応づけられた色変換プロファイルにより、画像データの色成分値をプリンタ１０の標準濃度に変換する（Ｓ５）。ここで、色変換プロファイルは、画像形成装置の各々に対応づけられた、入力データの色成分値を画像形成装置の標準濃度に変換するためのテーブルである。色変換プロファイルの内容は、画像形成装置の標準状態で印刷される画像の各色の濃度に基づいて、予め定められる。例えば、ＣＭＹＫの４色のトナーにより印刷を行うプリンタ１０においては、色変換プロファイルは、画像データの色成分値がプリンタ１０におけるＣＭＹＫの各色の濃度に対応づけられたテーブルとなる。ここで、プリンタ１０におけるＣＭＹＫの各色の濃度は、標準状態において最大濃度を出力する場合の出力濃度を１００％として、当該濃度に対する割合により表されるものとする。
【００２８】
プリントコントローラ２０は、色変換プロファイルによる標準濃度への変換に続いて、当該標準濃度をキャリブレーションデータに基づいて出力濃度に変換する（Ｓ６）。ここで、キャリブレーションデータは、画像形成装置の状態に応じて、画像形成装置の標準濃度を再現するために装置が出力すべき出力濃度を決定するためのテーブルである。キャリブレーションデータの内容は、キャリブレーションを行った際の画像形成装置の状態に応じて決定される。ここでは、キャリブレーションデータは、プリンタ１０のＣＭＹＫのそれぞれの色について、標準濃度と同色の出力濃度とが対応づけられた計４個の１次元のデータからなるデータであるとする。Ｓ５及びＳ６の処理により、元の画像データの色成分値は、実際にプリンタ１０が出力するＣＭＹＫの各色の濃度値に変換される。
【００２９】
続いて、プリントコントローラ２０は、Ｓ６の処理で得られた出力濃度に基づいて、プリンタ１０に対して画像データを印刷する指示を行う（Ｓ７）。プリンタ１０は、プリントコントローラ２０より送られた出力濃度の値に基づいてレーザ光強度等を制御することにより、媒体上に定着するトナー量を制御して、印刷を行う。これにより、入力された画像データの色成分値に合致する色の画像を媒体上に形成できる。
【００３０】
以下では、前述のＳ２の処理におけるキャリブレーションデータの警告条件の例について、キャリブレーションデータに生じうる問題点とともに説明する。
【００３１】
まず、第１の事例として、プリンタ１０で形成される色の濃度が、標準状態よりも濃くなってしまう場合がある。例えばシアンの濃度が濃い場合、シアンの出力濃度を１００％にすると標準状態におけるシアンの最大濃度よりも濃くなってしまう。この場合、例えばｘ１％（ｘ１＜１００）の出力濃度で標準状態における最大濃度が表現できるとすると、シアンの標準濃度１００％に対して出力濃度ｘ１％が対応するキャリブレーションデータにより補正を行うことで、標準状態における濃度が再現できる。図３は、この事例におけるシアンのキャリブレーションデータを模式的に表したグラフである。
【００３２】
この事例においては、シアンについては１００％に満たない出力濃度で標準状態の最大濃度が表現できるが、出力濃度が１００％に満たない場合、画像形成装置によっては網点が生じてしまうことがある。出力された画像に網点が生じている場合、このようなキャリブレーションデータによるものなのか、あるいは元の画像データに問題があるのか、ユーザは直ちに判断することができない。そこで、出力濃度の上限値が所定の値ｙ１％以下の場合、警告を行うという判定条件を設定することで、このような問題を事前に検知できる。当該事例においては、ｘ１≦ｙ１であれば警告条件を満たし、Ｓ３の処理により警告情報が出力される。
【００３３】
第２の事例としては、プリンタ１０で形成される色の濃度が、標準状態よりも薄くなってしまう場合がある。例えばシアンの濃度が薄い場合、シアンの出力濃度を１００％にしても標準状態におけるシアンの最大濃度を表現できない。この場合、例えば出力濃度を１００％にした場合に形成される色の濃度が標準状態におけるｘ２％の濃度に相当するとすれば、シアンの標準濃度がｘ２％以上の領域においては出力濃度が１００％に変換されるキャリブレーションデータにより補正を行う。これにより、ｘ２％以上の濃度を表現しようとすると意図した色よりも薄くなってしまうが、ｘ２％までの標準濃度については本来の色が再現できる。図４は、この事例におけるシアンのキャリブレーションデータを模式的に表したグラフである。
【００３４】
この事例においては、ｘ２％以上の濃度を表現しようとした場合、形成される画像の色は本来の色よりも薄くなってしまう。また、ｘ２％以上の濃度の領域においては、出力濃度が一定になるため、階調が表現できない。そこで、全体のｙ２％以上の標準濃度に対して出力濃度が一定となる場合、警告を行うという判定条件を設定することで、このような問題を事前に検知できる。当該事例の場合、標準濃度がｘ２％から１００％までの領域で出力濃度が一定となるので、（１００−ｘ２）≧ｙ２であれば警告条件を満たし、Ｓ３の処理により警告情報が出力される。
【００３５】
また、このような事例に対して、出力濃度が所定の範囲内に含まれる標準濃度が全体のｙ２％以上を占める場合に警告を行うこととしてもよい。例えば、出力濃度が９５％から１００％までの範囲に含まれるような標準濃度が、全体のｙ２％以上を占める場合に警告するというような判定条件を用いることもできる。
【００３６】
第３の事例として、キャリブレーションデータの変化量が一様にならない場合がある。例えばある標準濃度ｘ３に対応する出力濃度をｙ３、標準濃度ｘ３＋Δｘに対応する出力濃度をｙ３＋Δｙとすると、プリンタが標準状態にあってキャリブレーションの必要がない場合には、標準濃度と出力濃度は一致するため、Δｘ＝Δｙとなるはずである。キャリブレーションは標準濃度と実際に媒体に形成される濃度のずれを補正するために行われるため、ΔｘとΔｙは一致しないのが通常である。しかし、ΔｘとΔｙが大きくずれている場合には、キャリブレーションの失敗により異常なデータになってしまっていることも考えられる。キャリブレーションは、例えば所定の階調パターンが表された基準画像データを画像形成装置から出力し、出力された画像を再度スキャナ等の画像読み取り装置で読み取って元の基準画像データの色成分値と比較することにより行う。そのため、例えば出力された画像を読み取る際にゴミが混入してしまった場合などに、このような問題が生じうる。
【００３７】
この事例においては、正しいキャリブレーションが行われていないため、本来の画像データの色を再現できない。そこで、予め定められた標準濃度の変化量であるΔｘの値に対して、出力濃度の変化量であるΔｙの値が、所定の範囲（例えばΔｙ１からΔｙ２まで）に含まれないような区間が存在する場合、警告を行うという判定条件を設定することで、このような問題を事前に検知できる。
【００３８】
例えば、図５に示すキャリブレーションデータの例においては、標準濃度ｘ３からｘ３＋Δｘまでの区間における標準濃度の変化量Δｘに対する出力濃度の変化量Δｙ３は、Δｘよりも大きい。ここで、Δｙ３＞Δｙ２であれば警告条件を満たし、Ｓ３の処理により警告情報が出力される。また、図６に示すキャリブレーションデータの例においては、同じ区間の標準濃度の変化量Δｘに対する出力濃度の変化量Δｙ４は、Δｘよりも小さい。この場合、Δｙ４＜Δｙ１であれば警告条件を満たし、Ｓ３の処理により警告情報が出力される。
【００３９】
また、このような判定条件により警告を行うか否か判定する場合、標準濃度の所定の変化量に対して出力濃度の変化量が満たすべき所定の範囲は、標準濃度１００％に対応づけられた出力濃度の値、または出力濃度１００％に対応する標準濃度の値に基づいて決定してもよい。すなわち、前述の第１の事例においては、標準濃度１００％に対して出力濃度ｘ１％が対応づけられているため、全体としての変化量は、平均するとΔｘに対してΔｘ・ｘ１／１００になる。従って、前述の例におけるΔｙ１，Δｙ２の値をこの全体の変化量に基づいて決定することで、現在のキャリブレーションデータの内容に合わせて異常値を検出することができる。同様に、前述の第２の事例においては、出力濃度１００％に対応する標準濃度はｘ２％以上の全ての値であるため、標準濃度が０％からｘ２％までの範囲においては、全体の変化量はΔｘに対してΔｘ・１００／ｘ２になる。従って、前述の例におけるΔｙ１，Δｙ２の値をこの全体の変化量に基づいて決定するとよい。
【００４０】
なお、プリントコントローラ２０は、以上説明した例のような警告条件を、２以上組み合わせて警告情報を出力するか否かの判定をすることとしてもよい。この場合、前述のＳ３の処理で警告情報を出力する際には、どの警告条件に該当したかについての情報を併せて出力することが望ましい。また、キャリブレーションデータから得られたｘ１，ｘ２，ｘ３，Δｙ３，Δｙ４などの警告条件の判定に用いた値を併せて出力することとしてもよい。
【００４１】
また、以上説明した判定に用いられる所定の値は、ユーザが事前に決定できることとしてもよい。例えば、クライアント端末３０において、設定画面からユーザが前述の第１乃至第３の事例におけるｙ１，ｙ２，Δｙ１，Δｙ２などの値を入力する。プリントコントローラ２０はこれらの値を受信し、以降これらユーザが設定した値に基づいてＳ２の処理における判定を行う。
【００４２】
本実施の形態によれば、プリンタ１０により印刷を行う際に、キャリブレーションデータの内容によって望ましい印刷結果が得られない可能性がある場合に、警告情報を出力することで、ユーザの意図しない画像が印刷されるケースを減らすことができる。また、ユーザの意図しない画像が印刷された場合でも、その原因がキャリブレーションデータの内容にあるのか、またはその他の要因にあるのかをユーザに容易に知らせることができ、ユーザの利便性を向上できる。
【００４３】
なお、以上説明した例においては、ユーザが印刷の指示を行った場合に警告条件の判定を行い、警告情報を出力することとしたが、本発明の実施の形態はこのような例に限られない。例えば、キャリブレーションデータの生成を行った際に警告条件の判定を行い、条件を満たす場合には警告情報を出力することとしてもよい。例えば、前述の第３の事例はキャリブレーションデータ生成の失敗によっても生じうる問題であるため、キャリブレーションデータ生成後直ちに警告情報を出力することで、ユーザに再度キャリブレーションを行う必要があるか否かを判断するための情報を提示することができる。また、用途などに応じて複数のプロファイルが存在する場合に、ユーザが使用するプロファイルの割り当てを行った際に警告条件の判定を行うこととしてもよい。
【００４４】
また、以上説明した例においては、プリントコントローラ２０は、まず色変換プロファイルにより画像データの色成分値をプリンタ１０の標準濃度に変換した上で、キャリブレーションデータにより標準濃度を出力濃度に変換することとしたが、この手順は逆であってもよい。この場合、キャリブレーションデータは画像データの色成分値を同じ成分において画像形成装置の出力濃度に対応する別の値に補正するテーブルであり、色変換プロファイルは補正された色成分値を実際の出力濃度に変換する。このような形態においても、キャリブレーションデータに含まれるデータの単位に合わせた値により警告条件を設定することで、キャリブレーションデータの内容に関する判定を行うことが可能である。
【図面の簡単な説明】
【００４５】
【図１】本発明の実施の形態に係る出力濃度調整システムの概略の構成を表すブロック図である。
【図２】本発明の実施の形態に係る出力濃度調整システムによって実行される処理の一例を示すフロー図である。
【図３】本システムが保持するキャリブレーションデータの一例を示す模式的なグラフである。
【図４】本システムが保持するキャリブレーションデータの別の一例を示す模式的なグラフである。
【図５】本システムが保持するキャリブレーションデータの別の一例を示す模式的なグラフである。
【図６】本システムが保持するキャリブレーションデータの別の一例を示す模式的なグラフである。
【符号の説明】
【００４６】
１０  プリンタ、２０  プリントコントローラ、３０  クライアント端末、４０  通信ネットワーク。
【図１】
2007006208.tif 000003
【図２】
2007006208.tif 000004
【図３】
2007006208.tif 000005
【図４】
2007006208.tif 000006
【図５】
2007006208.tif 000007
【図６】
2007006208.tif 000008